(57)【特許請求の範囲】
【請求項１】
読取対象の原稿に対して、互いに異なる分光特性をもつ光をそれぞれ照射するように構成された３つ以上の光源と、
前記原稿で反射される前記３つ以上の光源からのそれぞれの光を検出するための共通の受光面を含む受光部と、
前記３つ以上の光源を予め定められた順序で切り替えて光を照射するとともに、当該切替順序と、前記受光部での検出結果と、前記３つ以上の光源からのそれぞれの照射光がもつ分光特性とに基づいて、前記原稿の読取画像を生成する画像生成部とを備え、
前記３つ以上の光源のうち１つは、白色光源および当該白色光源に設けられる光学フィルターにより構成され、
前記光学フィルターは、透過後の照射光がもつ分光特性上の最大強度についての波長の半値幅が、他の光源からの光がもつ分光特性上の最大強度についての波長の半値幅より広くなるように構成される、画像読取装置。
【請求項２】
前記光学フィルターが透過させる波長領域内に最大強度の波長を有する分光特性をもつ光を、照射する重畳光源をさらに備え、
前記画像生成部は、前記白色光源を点灯させるとともに、前記重畳光源を点灯させるように構成される、請求項１に記載の画像読取装置。
【請求項３】
前記白色光源および前記重畳光源は、互いに隣接するように配置される、請求項２に記載の画像読取装置。
【請求項４】
前記白色光源および前記重畳光源は、前記光学フィルターを透過後の照射光と前記重畳光源からの光とを足し合わせた光がもつ分光特性上の最大強度が、他の光源からの光がもつ分光特性上の最大強度と実質的に等しくなるように構成される、請求項２または３に記載の画像読取装置。
【請求項５】
前記光学フィルターは、少なくとも５５０ｎｍ−７００ｎｍの光を透過させる、請求項１〜４のいずれか１項に記載の画像読取装置。
【請求項６】
前記白色光源は、少なくとも５５０ｎｍ−７００ｎｍの強度が他の光源の光がもつ最大強度の１／２を超えるように構成される、請求項１〜５のいずれか１項に記載の画像読取装置。
【請求項７】
前記光学フィルターは、少なくとも５００ｎｍ−５８０ｎｍの光を透過させる、請求項１〜４のいずれか１項に記載の画像読取装置。
【請求項８】
前記白色光源は、少なくとも５００ｎｍ−５８０ｎｍの強度が他の光源の光がもつ最大強度の１／２を超えるように構成される、請求項１〜４、７のいずれか１項に記載の画像読取装置。
【請求項９】
前記３つ以上の光源から照射された光を前記原稿に導くための導光部と、
前記原稿で反射される前記３つ以上の光源からのそれぞれの光を前記受光面で結像させるための結像レンズとをさらに備える、請求項１〜８のいずれか１項に記載の画像読取装置。
【請求項１０】
前記光学フィルターは、前記３つ以上の光源と前記導光部との間に設けられる、請求項９に記載の画像読取装置。
【請求項１１】
前記光学フィルターは、前記白色光源の表面に設けられる、請求項１〜１０のいずれか１項に記載の画像読取装置。
【請求項１２】
赤、緑、青に対応する波長成分をそれぞれ含む光を発生する３つの光源と、
前記３つの光源から読取対象の原稿に対して互いに異なるタイミングで照射された後、当該原稿にてそれぞれ反射された光を検出するための共通の受光面を含む受光部と、
前記３つの光源を予め定められた順序で切り替えて光を照射するとともに、当該切替順序と、前記受光部での検出結果と、前記３つの光源からのそれぞれの照射光がもつ分光特性とに基づいて、前記原稿の読取画像を生成する画像生成部とを備え、
前記３つの光源のうち赤に対応する波長成分を含む光を発生する光源は、少なくとも５５０ｎｍ−７００ｎｍの強度が他の光源の光がもつ最大強度の１／２を超えるようにするための光学フィルターを設けられる、画像読取装置。
【請求項１３】
赤、緑、青に対応する波長成分をそれぞれ含む光を発生する３つの光源と、
前記３つの光源から読取対象の原稿に対して互いに異なるタイミングで照射された後、当該原稿にてそれぞれ反射された光を検出するための共通の受光面を含む受光部と、
前記３つの光源を予め定められた順序で切り替えて光を照射するとともに、当該切替順序と、前記受光部での検出結果と、前記３つの光源からのそれぞれの照射光がもつ分光特性とに基づいて、前記原稿の読取画像を生成する画像生成部とを備え、
前記３つの光源のうち緑に対応する波長成分を含む光を発生する光源は、少なくとも５００ｎｍ−５８０ｎｍの強度が他の光源の光がもつ最大強度の１／２を超えるようにするための光学フィルターを設けられる、画像読取装置。
【発明の詳細な説明】
【技術分野】
【０００１】
この開示は、画像読取装置に関し、より特定的には、カラー画像を読み取り可能な画像読取装置に関する。
【背景技術】
【０００２】
画像読取装置の画像読取方式は、ＣＣＤ（Charge Coupled Devices）光学縮小方式と、ＣＩＳ（Contact Image Sensor)密着センサー方式とに大別することができる。このうち、ＣＩＳ密着センサー方式については、赤、緑、青の光を投光部側で切り分けて原稿などの読取対象に照射するタイプと、読取対象からの反射光を受光部側で赤、緑、青に切り分けるタイプとに分類することができる。
【０００３】
受光部側で赤、緑、青に切り分けるタイプは、３つの読取センサーを有し、それぞれが赤、緑、青の各色に分離するための光学フィルターを含む構成である。これにより、各々の読取センサーは、読取対象から赤、緑、青にそれぞれ色分解された画像を取得する。
【０００４】
一方、投光部側で赤、緑、青に切り分けるタイプは、１つの読取センサーを有し、赤、緑、青の光源を順次切り替えて読取対象に照射する。これにより、読取センサーは、各光源のそれぞれの点灯時に、読取対象から赤、緑、青にそれぞれ色分解された画像を取得する。
【０００５】
投光部側で赤、緑、青に切り分けるタイプは、受光部側で赤、緑、青の光を切り分けるタイプに比して、用いる読取センサーおよび光学フィルターの数が少ないため、製造コストを抑えることができる。
【０００６】
この投光部側で赤、緑、青に切り分けるＣＩＳ密着センサー方式に関し、特開平０７−２５０２１２号公報（特許文献１）は、原稿を照明する白色光源と、該白色光源を囲繞して設けられ原稿に対応する位置にスリットを備えた遮光部材と、該遮光部材の周囲に設けられ周方向に光三原色のＲ、Ｇ、Ｂフィルターが規則的に順次配列された円筒状のフィルター部材と、原稿の移送に同期して上記Ｒ、Ｇ、Ｂの各フィルターを原稿面に順次対峙させるようフィルター部材を回転駆動制御する駆動手段とを有する構成を開示している。
【先行技術文献】
【特許文献】
【０００７】
【特許文献１】特開平０７−２５０２１２号公報
【発明の概要】
【発明が解決しようとする課題】
【０００８】
しかしながら、特許文献１に開示される技術は、白色光源の周囲にＲ、Ｇ、Ｂの光学フィルターを有する円筒状のフィルター部材、および当該フィルター部材を回転させる駆動手段を設ける必要があり、装置自身の大型化に加え、製造コストが高くなるという問題がある。
【０００９】
本開示は、上記のような問題を解決するためになされたものであって、ある局面における目的は、従来よりも簡易な構成で、読取対象から赤、緑、青にそれぞれ色分解された画像を取得する画像読取装置を提供することである。
【課題を解決するための手段】
【００１０】
画像読取装置は、読取対象の原稿に対して、互いに異なる分光特性をもつ光をそれぞれ照射するように構成された３つ以上の光源と、原稿で反射される３つ以上の光源からのそれぞれの光を検出するための共通の受光面を含む受光部と、３つ以上の光源を予め定められた順序で切り替えて光を照射するとともに、当該切替順序と、受光部での検出結果と、３つ以上の光源からのそれぞれの照射光がもつ分光特性とに基づいて、原稿の読取画像を生成する画像生成部とを備える。３つ以上の光源のうち少なくとも１つは、白色光源および当該白色光源に設けられる光学フィルターにより構成される。光学フィルターは、透過後の照射光がもつ分光特性上の最大強度についての波長の半値幅が、他の光源からの光がもつ分光特性上の最大強度についての波長の半値幅より広くなるように構成される。
【００１１】
好ましくは、光学フィルターが透過させる波長領域内に最大強度の波長を有する分光特性をもつ光を、照射する重畳光源をさらに備える。画像生成部は、白色光源と点灯させるとともに、重畳光源を点灯させるように構成される。
【００１２】
好ましくは、白色光源および重畳光源は、互いに隣接するように配置される。
好ましくは、白色光源および重畳光源は、光学フィルターを透過後の照射光と重畳光源からの光とを足し合わせた光がもつ分光特性上の最大強度が、他の光源からの光がもつ分光特性上の最大強度と実質的に等しくなるように構成される。
【００１３】
好ましくは、光学フィルターは、少なくとも５５０ｎｍ−７００ｎｍの光を透過させる。
【００１４】
好ましくは、白色光源は、少なくとも５５０ｎｍ−７００ｎｍの強度が他の光源の光がもつ最大強度の１／２を超えるように構成される。
【００１５】
好ましくは、光学フィルターは、少なくとも５００ｎｍ−５８０ｎｍの光を透過させる。
【００１６】
好ましくは、白色光源は、少なくとも５００ｎｍ−５８０ｎｍの強度が他の光源の光がもつ最大強度の１／２を超えるように構成される。
【００１７】
好ましくは、３つ以上の光源から照射された光を原稿に導くための導光部と、原稿で反射される３つ以上の光源からのそれぞれの光を受光面で結像させるための結像レンズとをさらに備える。
【００１８】
より好ましくは、光学フィルターは、３つ以上の光源と導光部との間に設けられる。
好ましくは、光学フィルターは、白色光源の表面に設けられる。
【００１９】
他の局面に従う画像読取装置は、赤、緑、青に対応する波長成分をそれぞれ含む光を発生する３つの光源と、３つの光源から読取対象の原稿に対して互いに異なるタイミングで照射された後、当該原稿にてそれぞれ反射された光を検出するための共通の受光面を含む受光部と、３つの光源を予め定められた順序で切り替えて光を照射するとともに、当該切替順序と、受光部での検出結果と、３つ以上の光源からのそれぞれの照射光がもつ分光特性とに基づいて、原稿の読取画像を生成する画像生成部とを備える。３つの光源のうち赤に対応する波長成分を含む光を発生する光源は、少なくとも５５０ｎｍ−７００ｎｍの強度が他の光源の光がもつ最大強度の１／２を超えるように構成される。
【００２０】
他の局面に従う画像読取装置は、赤、緑、青に対応する波長成分をそれぞれ含む光を発生する３つの光源と、３つの光源から読取対象の原稿に対して互いに異なるタイミングで照射された後、当該原稿にてそれぞれ反射された光を検出するための共通の受光面を含む受光部と、３つの光源を予め定められた順序で切り替えて光を照射するとともに、当該切替順序と、受光部での検出結果と、３つ以上の光源からのそれぞれの照射光がもつ分光特性とに基づいて、原稿の読取画像を生成する画像生成部とを備える。３つの光源のうち緑に対応する波長成分を含む光を発生する光源は、少なくとも５００ｎｍ−５８０ｎｍの強度が他の光源の光がもつ最大強度の１／２を超えるように構成される。
【発明の効果】
【００２１】
一実施形態に従う画像読取装置は、従来よりも簡易な構成で、読取対象から赤、緑、青にそれぞれ色分解された画像を取得することができる。
【図面の簡単な説明】
【００２２】
【図１】関連技術に従う画像読取装置について説明する図である。
【図２】関連技術に従う画像読取装置の白色光源からの光の分光特性、および各光学フィルターを透過後の光を足し合わせた光の分光特性を説明する図である。
【図３】他の関連技術に従う画像読取装置について説明する図である。
【図４】他の関連技術に従う画像読取装置が読み取る光の分光特性を説明する図である。
【図５】関連技術に従う画像読取装置で読み取った原稿イメージと、他の関連技術に従う画像読取装置で読み取った原稿イメージとを比較する図である。
【図６】実施形態１に従う画像読取装置の概要（赤）を説明する図である。
【図７】実施形態１に従う画像読取装置の概要（緑）を説明する図である。
【図８】実施形態１に従う画像形成装置の外観構成例について説明する図である。
【図９】実施形態１に従う画像入力装置の構成例について説明する図である。
【図１０】実施形態１に従う画像読取装置の動作概要を説明する図である。
【図１１】実施形態１に従う画像生成部の処理について説明する図である。
【図１２】実施形態１に従う光源および光学フィルターの特性について説明する図である。
【図１３】実施形態１の変形例に従う画像読取装置の構成例について説明する図である。
【図１４】実施形態１の変形例に従う光源および光学フィルターの特性について説明する図である。
【図１５】実施形態２に従う画像読取装置の構成例を説明する図である。
【図１６】実施形態２に従う光学フィルターを透過後の光の分光特性、Ｒ光源、Ｇ光源、およびＢ光源からの光の分光特性を表した図である。
【図１７】実施形態２に従う画像読取装置が読み取る光の分光特性を説明する図である。
【図１８】実施形態２の変形例に従う画像読取装置が読み取る光の分光特性を説明する図である。
【図１９】実施形態２の他の変形例に従う画像読取装置の構成例を説明する図である。
【図２０】実施形態２の変形例に従う光学フィルターを透過後の光の分光特性、Ｒ光源、Ｇ光源、およびＢ光源からの光の分光特性を表した図である。
【図２１】光学フィルターの構成例について説明する図である。
【図２２】変形例に従う光学フィルターの構成例について説明する図である。
【発明を実施するための形態】
【００２３】
以下、この発明の実施形態について図面を参照しながら詳細に説明する。なお、図中同一または相当部分には同一符号を付し、その説明は繰り返さない。
【００２４】
［Ａ.関連技術］
（ａ１．３ラインＣＩＳ方式）
図１は、関連技術に従う３ラインＣＩＳセンサー方式の画像読取装置３８Ｘについて説明する図である。図１を参照して、関連技術に従う画像読取装置３８Ｘは、白色光源と、導光体と、３つのイメージセンサー（３ラインＣＩＳセンサー）と、３つのＧＲＩＮ（GRaded INdex）レンズと、赤、緑、青（以下、「Ｒ、Ｇ、Ｂ」とも称する）に対応する波長を透過させる光学フィルターとを有する。
【００２５】
白色光源から照射された光は、導光体を通じて読取対象の原稿に照射される。搬送途中の原稿によって反射された光は、ＧＲＩＮレンズによって集光される。集光された光は、Ｒ、Ｇ、Ｂの光学フィルターを透過して、各々のイメージセンサーに入力される。
【００２６】
画像読取装置３８Ｘは、各々のイメージセンサーで読み取られたＲ、Ｇ、Ｂの各成分を足し合わせることによって、読取対象の画像データを生成する。
【００２７】
図２は、関連技術に従う画像読取装置３８Ｘの白色光源からの光の分光特性、および各光学フィルターを透過後の光を足し合わせた光の分光特性を説明する図である。図２（ａ）を参照して、画像読取装置３８Ｘが有する白色光源の光は、可視光領域にわたる広い波長成分を含む分光特性を示す。そのため、図２（ｂ）に示される透過特性を有するＲ、Ｇ、Ｂの光学フィルターを透過した後に、各々のイメージセンサーで受光する光も、広い波長成分を含む。
【００２８】
その結果、図２（ｃ）に示されるように、各々の光学フィルターを透過後の光を足し合わせた光の分光特性は、可視光領域にわたって原稿に含まれる色を読み取るために十分な強度を有する。したがって、関連技術に従う画像読取装置３８Ｘは、高い色再現性を有する。
【００２９】
しかしながら、関連技術に従う画像読取装置３８Ｘは、３つのイメージセンサー（３ラインＣＩＳセンサー）と、それぞれに対応する光学フィルターとを有する構成であるため、部材のコストが高いという問題がある。
【００３０】
（ａ２．１ラインＣＩＳ方式）
そこで、１つのイメージセンサー（１ラインＣＩＳセンサー）を用いてＲ、Ｇ、Ｂのそれぞれに対応する各画像成分を読み取る構成が考えられる。図３は、他の関連技術に従う１ラインＣＩＳセンサー方式の画像読取装置３８Ｙについて説明する図である。
【００３１】
画像読取装置３８Ｙは、Ｒ、Ｇ、Ｂのそれぞれの光を発生する３つの光源と、これら光源から照射される光を読取対象の原稿に導くための導光体と、１つのＧＲＩＮレンズと、１つのイメージセンサーとを有する。
【００３２】
画像読取装置３８Ｙは、Ｒ、Ｇ、Ｂの３つの光源を順次切り替えて点灯させる。イメージセンサーは、光源の切替タイミングと同期して、Ｒ、Ｇ、Ｂのそれぞれに対応する画像成分を順次読み取る。
【００３３】
当該構成によれば、画像読取装置３８Ｙは、１つのイメージセンサーを用いて読取対象の画像データを生成することができるため、簡易な構成によってコストを抑えることができる。
【００３４】
ここで、Ｒ、Ｇ、Ｂのそれぞれの光を発生する３つの光源には、ＬＥＤ（Light Emitting Diode）が用いられる。ＬＥＤは、小型で安価なうえに高効率といった特性を有するためである。
【００３５】
しかしながら、ＬＥＤが照射する光の分光特性は、高効率であるが故に、ハロゲンランプなどの白色光源に比べて非常にシャープであって、特定の波長に対して高い強度を有する。そのため、Ｒ、Ｇ、Ｂのそれぞれの光源に単色ＬＥＤを用いた場合、図４に示されるように、原稿に含まれる色を読み取るために十分な強度を有さない波長領域が存在する。そのため、画像読取装置３８Ｙは、原稿に含まれる、当該波長領域に相当する色を精度よく再現することができない。
【００３６】
一例として、Ｒ、Ｇ、Ｂの各ＬＥＤの最大強度に対応する波長がそれぞれ、６３０ｎｍ、５２０ｎｍ、４６０ｎｍであって、半値全幅が２０ｎｍであるとする。この場合、Ｒ光源（赤色ＬＥＤ）とＧ光源（緑色ＬＥＤ）との最大強度の波長間隔は１１０ｎｍであることから、５３０−６２０ｎｍの強度は最大強度の１／２以下となる。その中でも、Ｒ光源およびＧ光源の最大強度の中間である、５７０ｎｍ付近は、特に光源の強度が低い。そのため、画像読取装置３８Ｙは、原稿に含まれる、５７０ｎｍ付近の色に対する感度が低い、言い換えれば、５７０ｎｍ付近の色再現性が低いという問題がある。
【００３７】
図５は、画像読取装置３８Ｘ（３ラインＣＩＳセンサー方式）で読み取った画像データと、画像読取装置３８Ｙ（１ラインＣＩＳセンサー方式）で読み取った画像データとを比較する図である。図５の特に破線部に示されるように、１ラインＣＩＳセンサー方式で読み取った画像データと３ラインＣＩＳセンサー方式で読み取った画像データとでは、色味（モノクロ画像では濃淡として表れる）が異なる。この理由は、１ラインＣＩＳセンサー方式は、上述のとおり５７０ｎｍ付近の波長成分の強度が低いことに起因して、肌色、オレンジ色などの色再現性が低いためである。
【００３８】
［Ｂ．概要］
そこで、以下に、１ラインＣＩＳセンサー方式であっても、色再現性が高く、かつ、簡易な構成の画像読取装置を実現するための構成について説明を行う。
【００３９】
画像読取装置３８Ｙの光源は、Ｒ、Ｇ、Ｂの各々の光源として、最大強度についての波長の半値幅が狭い光源（たとえば、ＬＥＤ）を用いるため、５７０ｎｍ付近の強度が低い。そのため、画像読取装置３８Ｙは、５７０ｎｍ付近の色再現性が低い。
【００４０】
そこで、本実施形態に従う画像読取装置は、５７０ｎｍ付近の波長領域においても十分な強度を有する光源を用いる。これにより、本画像読取装置は、原稿に含まれる当該領域に相当する色の再現性を向上させることができる。
【００４１】
図６は、本実施形態に従う画像読取装置の概要を説明する図である。図６（ａ）を参照して、本実施形態に従う画像読取装置は、Ｒ光源として、一例として、少なくとも５５０−７００ｎｍにおいて、十分な強度を有する光源を用いる。十分な強度とは、一例として、他の光源であるＧ光源またはＢ光源からの光がもつ最大強度の１／２以上とする。当該光源の詳細については後述する。
【００４２】
当該光源が白色光源などの、５５０−７００ｎｍを超える波長領域にわたって十分な強度を有する場合もある。この場合、図６（ｂ）に示されるように、当該光源に５５０ｎｍ−７００ｎｍの光を透過させるための光学フィルターを装着することによって、読取対象（原稿）に照射される光の波長帯域を制限する。
【００４３】
これにより、本実施形態に従う画像読取装置の光源は、図６（ｃ）に示されるように、Ｒ光源として単色の赤色ＬＥＤを用いた場合に強度が不足していた５７０ｎｍ付近においても、十分な強度を得ることができる。上記構成によれば、本実施形態に従う画像読取装置は、簡易な構成、かつ、高い色再現性を実現することができる。
【００４４】
また、他の局面において、本実施形態に従う画像読取装置は、Ｇ光源として、単色の緑色ＬＥＤよりも広く、少なくとも５００ｎｍ−５８０ｎｍにおいて、十分な強度を有する光源を用いてもよい。
【００４５】
この場合においても、本実施形態に従う画像読取装置は、図７（ａ）〜（ｃ）に示されるように、Ｇ光源として単色の緑色ＬＥＤを用いた場合に強度が不足していた５７０ｎｍ付近においても十分な強度を得ることができる。よって、当該構成においても、本実施形態に従う画像読取装置は、簡易な構成、かつ、高い色再現性を実現することができる。
【００４６】
また、さらに他の局面において、本実施形態に従う画像読取装置は、Ｒ光源、Ｇ光源のそれぞれに、単色の赤色ＬＥＤ、緑色ＬＥＤよりも広い波長領域において十分な強度を有する光源を用い、５７０ｎｍ付近においても十分な強度を得られる構成であってもよい。なお、この場合、Ｒ光源が十分な強度を有する波長領域と、Ｇ光源が十分な強度を有する波長領域とは、重複しないように構成されることが好ましい。たとえば、Ｒ光源として少なくとも５６０−７００ｎｍにおいて、Ｇ光源として少なくとも５００−５６０において、十分な強度を有する光源を用いることができる。当該構成においても、本実施形態に従う画像読取装置は、簡易な構成、かつ、高い色再現性を実現することができる。以下に、上記の画像読取装置を実現するための構成、および制御について説明を行う。
【００４７】
［Ｃ．実施形態１−Ｒ、Ｇ、Ｂのいずれかの光源が白色光源］
（ｃ１．画像形成装置１）
図８は、本実施形態に従う画像形成装置１の外観構成について説明する図である。図８に示す画像形成装置１は、コピー機能、スキャナ機能、プリンタ機能、ファックス機能といった多くの機能を有するものであり、たとえばＬＡＮや電話回線といったネットワーク（通信網）を介してのデータ送受信が可能になっている。すなわち、画像形成装置１は、原稿から読み取った画像データをネットワーク経由で他のコンピュータに出力したり、ネットワーク経由で他のコンピュータから画像データを入力し、当該画像データに基づく印刷を実行したり、ＦＡＸデータの送受信をしたりできる。
【００４８】
画像形成装置１における装置本体１ａの上部に、スキャナ部２および自動原稿搬送部３（以下、「ＡＤＦ（Auto Document Feeder）３」とも称する。）からなる画像入力装置４が設けられている。画像入力装置４は、スキャナ部２とＡＤＦ３とを同期して作動させ、ＡＤＦ３にセットされた原稿１枚ずつから画像を光学的に読み取ることにより、画像データを取得するように構成されている。すなわち、ＡＤＦ３はスキャナ部２に向けて原稿を１枚ずつ搬送し、スキャナ部２は、原稿が所定の読取位置を通過する際に画像を読み取って、画像データを取得するように構成されている。なお、「原稿」とは、媒体上に、可視領域に反射特性を有する像、物体が形成されているものであって、手書きの文書、絵図に限らず、機械により印字された文書、および画像を含むものである。
【００４９】
装置本体１ａの下部には、記録材を収容する給紙部６が設けられている。装置本体１ａのうち画像入力装置４と給紙部６との間には、記録材上にトナー画像を印刷する画像形成部５が設けられている。給紙部６は記録材を１枚ずつ画像形成部５に供給し、画像形成部５は、画像入力装置４やネットワーク経由で取得された画像データに基づき、記録材上にトナー画像を印刷するように構成されている。装置本体１ａのうち画像入力装置４と画像形成部５との間にある凹みスペースは排紙貯留部７になっている。画像形成部５によってトナー画像が印刷された記録材は排紙貯留部７に排出される。
【００５０】
装置本体１ａには、複数のキー（ボタン）を有する操作部８が設けられている。ユーザーは、操作部８の表示画面などを見ながらキー操作をすることによって、画像形成装置１の各種機能の中から選択した機能について設定操作をしたり、画像形成装置１に作業実行を指示したりできる。
【００５１】
（ｃ２．画像入力装置の構成）
次に、主として図９を参照しながら画像入力装置４の構造について説明する。ＡＤＦ３は、複数枚の原稿Ｍが積載（セット）される給紙トレイ３１を備えている。給紙トレイ３１に積載された原稿Ｍは、ピックアップローラ３２および給紙ローラ対３３によって、最上層のものから１枚ずつ原稿搬送路３０に送り出され、中間ローラ対３４を介してレジストローラ対３５に搬送される。レジストローラ対３５は、搬送されてきた１枚の原稿Ｍを所定の姿勢にするとともに、所定のタイミングで第１搬送ローラ対３６に向けて搬送するように構成される。原稿Ｍは、第１搬送ローラ対３６によって、スキャナ部２のスリットガラス２１上に搬送される。スリットガラス２１は、透明であって、原稿搬送方向と直交する主走査方向（図８に示されるＹ方向）に延在する細幅長板状に形成される。
【００５２】
スリットガラス２１上を原稿Ｍが通過するときに、スリットガラス２１の下方に位置する第１の画像読取装置２２が、対向する原稿Ｍの面（おもて面）の画像を読み取る。原稿搬送路３０のうちスリットガラス２１上より搬送下流側には、第２搬送ローラ対３７、第２画像読取装置３８、第３搬送ローラ対３９および排紙ローラ４０が配置されている。スリットガラス２１上を通過した原稿Ｍは、第２搬送ローラ対３７にて第２画像読取装置３８の直下に送られる。第２画像読取装置３８は、対向する原稿Ｍの面（裏面）の画像を、原稿Ｍの搬送中に読み取る。第２画像読取装置３８の直下を通過した原稿Ｍは、第３搬送ローラ対３９および排紙ローラ４０によって、排紙トレイ４１に排出される。
【００５３】
図９から明らかなように、ＡＤＦ３内の原稿搬送路３０は、給紙トレイ３１から、ピックアップローラ３２、給紙ローラ対３３、中間ローラ対３４、レジストローラ対３５、第１搬送ローラ対３６、スリットガラス２１上、第２搬送ローラ対３７、第２画像読取装置３８の直下、第３搬送ローラ対３９および排紙ローラ４０を経て、排紙トレイ４１に至る側面視略Ｕ字状（湾曲状）の経路になっている。
【００５４】
スリットガラス２１の上方には回転可能な清掃ローラ４２が設けられている。清掃ローラ４２は、スリットガラス２１上に原稿Ｍがない状態で回転駆動して、スリットガラス２１上に付着した紙粉等の異物を取り除くように構成されている。原稿搬送路３０を挟んで第２画像読取装置３８の反対側には、シェーディング補正用の白色基準体の一例である回転ローラ４３が回転可能に設けられている。
【００５５】
一方、スキャナ部２の上面には、前述したスリットガラス２１と、広幅平板状で且つ透明なプラテンガラス２３とが設けられている。画像読取装置２２は、スキャナ部２内に設けられ、光源２４ａおよび反射ミラー２４ｂを有する走査ユニット２４、一対の反転ミラー２５ａ、２５ｂを有する走行ユニット２５、結像レンズ２６およびラインセンサー２７を有する。これらの構成により、画像読取装置２２は、スリットガラス２１上を通過する原稿Ｍのおもて面の画像や、プラテンガラス２３上に載置された原稿Ｍの画像を読み取る。
【００５６】
より具体的には、スリットガラス２１上を原稿Ｍが通過する際は、走査ユニット２４および走行ユニット２５を固定した状態で、光源２４ａから原稿Ｍのおもて面に向けて光を照射する。原稿Ｍのおもて面からの反射光が、反射ミラー２４ｂ、両反転ミラー２５ａ、２５ｂおよび結像レンズ２６を介して、ラインセンサー２７に導かれて結像される。ラインセンサー２７は、結像された光画像を電気信号に変換して画像生成部２８に出力する。
【００５７】
走査ユニット２４および走行ユニット２５は、スキャナ部２内に配置された一対の支持レール６０に係合され、図示しないアクチュエータの動力によってスライド移動される。また、スリットガラス２１とプラテンガラス２３との間には、走行ユニット２５の通過の有無を検出するためのポジション検出センサー４７が配置される。
【００５８】
ＡＤＦ３内に配置された第２の画像読取装置３８は、回転ローラ４３上を通過する原稿Ｍの裏面の画像を読み取る。以下、この画像読取装置３８の構成について説明を行う。なお、他の局面において、第２の画像読取装置３８は、スキャナ部２側に配置されるとともに、第１の画像読取装置２２に代替して原稿Ｍのおもて面を読み取る構成であってもよい。さらに他の局面において、第１の画像読取装置２２に加えて、さらに第２の画像読取装置３８をスキャナ部２側に追加で配置してもよい。この場合、原稿の裏表を同時に読み取るにあたって、２台の画像読取装置３８を用いて原稿Ｍの裏表面を読み取る構成を含む。
【００５９】
（ｃ３．画像読取装置３８の構成）
図１０は、本実施形態に従う画像読取装置３８の動作概要を説明する図である。ユーザーは、操作部８を用いて読取解像度を設定した後に、読み取りを指示する。これを受け、モーター駆動部７０は、設定された解像度に応じた速度で原稿Ｍを搬送するように、第２搬送ローラ対３７を回転させる。
【００６０】
また、操作部８は、設定された解像度に応じた制御信号を同期信号生成部８０に出力する。同期信号生成部８０は、当該制御信号の入力を受け、解像度に応じた同期（クロック）信号を生成し、画像生成部２８および切替部９０に出力する。
【００６１】
切替部９０は、回転ローラ４３上を原稿Ｍが通過するときに、同期信号生成部８０から入力された同期信号に同期して、Ｒ光源１０１Ｗ、Ｇ光源１０３、Ｂ光源１０５を所定順序で順次点灯させる。
【００６２】
Ｒ光源１０１Ｗは、白色光源であって、一例として、ＬＥＤで構成されるものとする。「白色光源」とは、単色のＬＥＤの光が有する波長成分よりも広い波長成分を有する光源と定義する。なお、Ｒ光源１０１Ｗは、単色の青色ＬＥＤおよび黄色蛍光体によって白色を生成してもよいし、Ｒ、Ｇ、Ｂそれぞれの単色ＬＥＤの混光によって白色を生成してもよい。
【００６３】
Ｒ光源１０１Ｗには、光学フィルター１０２が装着される。光学フィルター１０２は、Ｒ光源１０１Ｗと隙間なく装着されることが好ましい。これにより、Ｒ光源１０１Ｗと光学フィルター１０２との空隙から漏れ出る光を抑制することができるためである。当該構成は、別体のフィルターを設ける必要がないことから、省スペース化を実現することができる。光学フィルター１０２は、一例として、蒸着などの方法でＲ光源１０１Ｗに設けられる。
【００６４】
Ｒ光源１０１Ｗの光は、光学フィルター１０２によって波長帯域が制限され、赤に対応する波長成分を含む光となる。この光学フィルター１０２の詳細については後述する。Ｇ光源１０３、Ｂ光源１０５はそれぞれ、緑、青に対応する波長成分を含む光を発生させる光源であって、一例として、単色の緑色ＬＥＤ、青色ＬＥＤであるとする。
【００６５】
これらの光源の光は導光体１０７によって原稿Ｍの裏面に導かれる。原稿Ｍの裏面によって反射された光は、ＧＲＩＮレンズ１１０によって、ラインセンサー１２０の受光面で結像される。
【００６６】
ラインセンサー１２０は、Ｒ光源１０１Ｗ、Ｇ光源１０３、およびＢ光源１０５からのそれぞれの光を共通して検出する。ラインセンサー１２０は、主走査方向に沿って複数の光電変換素子が配置されたＣＩＳによって構成される。また、ラインセンサー１２０もラインセンサー２７と同様に、結像された光画像を電気信号に変換して画像生成部２８に出力する。画像生成部２８は、ラインセンサー１２０から入力された画像信号を、アナログ処理、Ａ／Ｄ変換、シェーディング補正、画像圧縮処理等して、デジタル化した画像データを生成し、これを画像形成部５に出力する。
【００６７】
なお、他の局面において、白色光源としての光源１０１Ｗは、ＬＥＤではなく、白熱電球、ハロゲンランプ、蛍光灯などを用いてもよい。ただし、これらの白色光源はＬＥＤに比して応答性が低い。他のＧ光源１０３、Ｂ光源１０５の点灯中にも、これらの白色光源が点灯している場合、ラインセンサー１２０は、原稿Ｍの画像の緑、青に対応する波長成分を正確に読み取ることができなくなる。そのため、これらの白色光源を用いる場合は、Ｇ光源１０３およびＢ光源１０５の点灯中に、白色光源の光を遮断するシャッターを設けることが好ましい。この場合、当該シャッターの開閉は、同期信号生成部８０が出力する同期信号に同期して制御される。
【００６８】
（ｃ４．画像生成部２８）
画像生成部２８において、ラインセンサー１２０から入力される電気信号を用いて原稿Ｍの裏面に形成された画像のデータを生成する処理について図１１を用いて説明する。
【００６９】
ラインセンサー１２０は、読み取った電気信号をＲ、Ｇ、Ｂの順で順次画像生成部２８へ出力する。画像生成部２８は、同期信号生成部８０から入力される同期信号が３回入力されると、ラインセンサー１２０からの１画素ライン分のＲ、Ｇ、Ｂの電気信号（画像情報）が揃ったと判断して、１画素ライン分の画像データを生成する。すなわち、画像生成部２８は、ラインセンサー１２０での検出結果に対応する照射光の分光特性を反映して、原稿Ｍの読取画像を生成する。
【００７０】
Ｒ、Ｇ、Ｂの画像データをそれぞれ８ビットで表現すると、白は［２５５，２５５，２５５］、黒は［０，０，０］となる。図１１に示す原稿情報は、副走査方向における１画素を表す。
【００７１】
まず、同期信号生成部８０の同期信号に同期して、１走査ライン目の画像データとしてＲ光源１０１Ｗを点灯させて赤に対応する画像データＲ１＝０を読み取る。同様に、Ｇ光源１０３、Ｂ光源１０５を順次点灯させて、緑、青に対応する画像データＧ１＝０、Ｂ１＝０を読み取る。次に、１走査ライン目と同様に２走査ライン目の画像データＲ２＝２５５、Ｇ２＝２５５、Ｂ２＝２５５を読み取る。これにより、画像生成部２８は、画像データとして１走査ライン目の［０，０，０］、２走査ライン目の［２５５，２５５，２５５］を生成する。
【００７２】
なお、他の局面において、画像生成部２８は、同期信号が３回入力される毎に１画素ライン分の画像データを生成する構成ではなく、原稿Ｍの読み取り完了後に、Ｒ、Ｇ、Ｂに対応する画像データを合成する構成であってもよい。
【００７３】
（ｃ５．光源の特性）
画像読取装置３８の光源であるＲ光源１０１Ｗには、白色光源が用いられる。このＲ光源１０１Ｗの分光特性は、図１２（ａ）に示されるように、５５０ｎｍ−７００ｎｍを含む波長領域において、所定値以上の強度を有する。所定値とは、一例として、Ｇ光源１０３またはＢ光源１０５の最大強度の１／２の強度とする。当該波長領域においてＲ光源１０１Ｗの光の強度は、一定であることが好ましい。また、７００ｎｍを超える波長領域において、Ｒ光源１０１Ｗの光の強度は、０％に近いことが好ましい。
【００７４】
図１２（ｂ）は、光学フィルター１０２の透過特性の一例を説明する図である。図１２（ｂ）に示されるように、光学フィルター１０２は、一例として、少なくとも５５０ｎｍ−７００ｎｍの光を透過させるように構成される。光学フィルター１０２における「透過させる波長」とは、一例として、透過後の強度が透過前の強度の５０％以上である波長と定義する。光学フィルター１０２は、一例として、カラーフィルター、バンドパスフィルター、ダイクロイックフィルター、ロングパスフィルターなどによって構成される。
【００７５】
光学フィルター１０２が透過させる波長領域５５０ｎｍ−７００ｎｍについて説明する。単色の赤色ＬＥＤが発光する波長領域のうち、長波長側が７００ｎｍ付近である。また、単色の緑色ＬＥＤ（Ｇ光源１０３）が所定値以上の強度で発光する波長領域のうち長波長側が５５０ｎｍ未満である。よって、光学フィルター１０２が透過させる波長領域は、画像読取装置３８の色再現性を向上させるために上記範囲に設定されることが好ましい。
【００７６】
なお、光学フィルター１０２が透過させる波長の短波長側は、Ｇ光源１０３からの光がもつ分光特性上の最大強度についての波長の半値幅の長波長側を上回るように構成されていればよい。たとえば、Ｇ光源１０３の最大強度に対応する波長が５２０ｎｍであって、半値全幅が２０ｎｍである場合、光学フィルター１０２が透過させる波長の短波長側は、５３０ｎｍを超えるように構成されればよい。
【００７７】
これにより、光学フィルター１０２を透過後の光の分光特性は、Ｇ光源１０３からの光の分光特性と、過剰に重ならない。仮に、当該光源からの光の分光特性がＧ光源１０３からの光の分光特性と過剰に重なる場合、ラインセンサー１２０は、赤に対応する原稿Ｍの画像成分のみならず、緑に対応する原稿Ｍの画像成分を読み取ってしまうことになる。この場合、画像生成部２８で生成される画像データの色再現性は悪化する。
【００７８】
言い換えれば、光学フィルター１０２とＲ光源１０１Ｗとの組み合わせは、次の２点を満たせばどのように組み合わされてもよい。１点目は、光学フィルター１０２を透過後の光の分光特性が、５５０ｎｍ−７００ｎｍで所定値以上の強度を有することである。２点目は、当該所定値以上である波長領域の短波長側が、Ｇ光源１０３の最大強度についての半値幅の長波長側と重ないことである。また、光学フィルター１０２を透過後の光の強度が上記範囲で所定値以上になるように、Ｒ光源１０１Ｗに供給される電力を設定してもよい。
【００７９】
図１２（ｃ）は、光学フィルター１０２を透過後の光の分光特性、Ｇ光源１０３、およびＢ光源１０５の光の分光特性を表した図である。光学フィルター１０２を透過後の光の分光特性は、図４に示されたような、Ｒ、Ｇ、Ｂの光源としてそれぞれ単色のＬＥＤを用いた場合に強度が不足していた５７０ｎｍ付近においても、所定値以上の十分な強度を有する。
【００８０】
そのため、本実施形態に従う画像読取装置３８は、Ｒ、Ｇ、Ｂの光源としてそれぞれ単色のＬＥＤを用いた場合に比して、高い色再現性を実現することができる。
【００８１】
また、本画像読取装置３８は、原稿Ｍに照射するＲ、Ｇ、Ｂの各光源の切り替えにあたって、駆動機構を用いておらず、単に点灯させる光源を切り替えるだけでよい。すなわち、本画像読取装置３８は、簡易な構成であるため、コストを抑えることができる。加えて、本画像読取装置３８は、駆動機構を搭載しないことにより、振動による読取対象の読取精度低下を抑制することができる。
【００８２】
なお、他の局面において、光学フィルター１０２が透過させる波長領域は５５０ｎｍ−７００ｎｍに限られない。光学フィルターは、透過後の光がもつ分光特性上の最大強度についての波長の半値幅が、白色光源以外の光源からの光がもつ分光特性上の最大強度についての波長の半値幅より広くなるように構成されればよい。
【００８３】
図１２（ｃ）を参照して、本例において、光学フィルター１０２を透過後の光の分光特性上の最大強度Ｉｍａｘとする。また、他のＧ光源１０３およびＢ光源１０５の光の分光特性上の最大強度も同じくＩｍａｘであるとする。このとき、光学フィルター１０２は、当該フィルターを透過後の光の分光特性上の最大強度Ｉｍａｘについての波長の半値幅Ｗｒが、他の光源Ｇ光源１０３、Ｂ光源１０５の光の分光特性上の最大強度Ｉｍａｘについての波長の半値幅Ｗｇ、またはＷｂよりも広くなるように構成されればよい。これにより、画像読取装置は、Ｒ、Ｇ、Ｂの光源としてそれぞれ単色のＬＥＤを用いた場合に比して、色再現性を向上させることができる。
【００８４】
（ｃ６．変形例）
上記の例では、５７０ｎｍ付近の光源の強度を補うために、Ｒ光源としてＲ光源１０１Ｗおよび光学フィルター１０２からなる光源を使用する構成について説明を行った。
【００８５】
本変形例に従う画像読取装置３８Ａは、Ｒ光源ではなくＧ光源として、単色の緑色ＬＥＤよりも広い波長成分を有する光源を用いることによって、５７０ｎｍ付近の強度を補う。なお、本変形例に従う画像読取装置３８Ａの基本構成は、上述した画像読取装置３８と略同じなので相違する点についてのみ説明する。
【００８６】
図１３は、変形例に従う画像読取装置３８Ａの構成例を説明する図である。図１３を参照して、画像読取装置３８Ａは、光源として、単色の赤色ＬＥＤであるＲ光源１０１と、Ｇ光源１０３Ｗと、Ｂ光源１０５とを有する。Ｇ光源１０３Ｗは、白色光源であって、一例として、ＬＥＤで構成されるものとする。Ｇ光源１０３Ｗには、光学フィルター１０４が装着される。上記の例と同様、光学フィルター１０４は、Ｇ光源１０３Ｗと隙間なく装着されることが好ましい。
【００８７】
このＧ光源１０３Ｗからの光の分光特性は、図１４（ａ）に示されるように、５００ｎｍ−５８０ｎｍを含む可視光領域にわたって、所定値以上の強度を有する。所定値とは、一例として、Ｒ光源１０１またはＢ光源１０５の最大強度の１／２の強度とする。
【００８８】
図１４（ｂ）は、光学フィルター１０４の透過特性の一例を説明する図である。図１４（ｂ）に示されるように、光学フィルター１０４は、一例として、少なくとも５００ｎｍ−５８０ｎｍの光を透過させるように構成される。光学フィルター１０４における「透過させる波長」とは、一例として、透過後の強度が透過前の強度の５０％以上である波長と定義する。
【００８９】
光学フィルター１０４が透過させる波長領域５００ｎｍ−５８０ｎｍについて説明する。単色の緑色ＬＥＤが、発光する波長領域のうち短波長側が５００ｎｍ付近である。また、単色の赤色ＬＥＤ（Ｒ光源１０１）が所定値以上の強度で発光する波長領域のうち短波長側が５８０ｎｍを上回る。よって、光学フィルター１０４が透過させる波長領域は、画像読取装置３８Ａの色再現性を向上させるために上記範囲に設定されることが好ましい。
【００９０】
なお、光学フィルター１０４が透過させる波長の長波長側は、Ｒ光源１０１からの光がもつ分光特性上の最大強度についての波長の半値幅の短波長側を上回るように構成されていればよい。
【００９１】
また、光学フィルター１０４とＧ光源１０３Ｗとの組み合わせは、光学フィルター１０４を透過後の光の分光特性が、５００ｎｍ−５８０ｎｍで所定値以上の強度を有し、当該所定値以上である波長領域の長波長側が、Ｒ光源１０１の最大強度についての半値幅の短波長側と重ならなければ、どのように組み合わされてもよい。
【００９２】
図１４（ｃ）は、光学フィルター１０４を透過後の光の分光特性、Ｒ光源１０１、およびＢ光源１０５からの光の分光特性を表した図である。光学フィルター１０４を透過後の光の分光特性は、図４に示されたような、Ｒ、Ｇ、Ｂの光源としてそれぞれ単色のＬＥＤを用いた場合に強度が不足していた５７０ｎｍ付近においても、所定値以上の十分な強度を有する。そのため、本実施形態に従う画像読取装置３８Ａは、Ｒ、Ｇ、Ｂの光源としてそれぞれ単色のＬＥＤを用いた場合に比して、高い色再現性を実現することができる。
【００９３】
なお、他の局面において、光学フィルター１０４が透過させる波長領域は５００ｎｍ−５８０ｎｍに限られない。光学フィルター１０４は、透過後の光がもつ分光特性上の最大強度についての波長の半値幅が、白色光源以外の光源からの光がもつ分光特性上の最大強度についての波長の半値幅より広くなるように構成されればよい。これにより、画像読取装置３８Ａは、Ｒ、Ｇ、Ｂの光源としてそれぞれ単色のＬＥＤを用いた場合に比して、色再現性を向上させることができる。
【００９４】
［Ｄ．実施形態２−Ｒ、Ｇ、Ｂの光源に、さらに白色光源および光学フィルターによる光源を重畳］
（ｄ１．単色のＲ光源、および白色光源と赤に対応する波長を透過させる光学フィルターとから構成される光源）
実施形態１では、Ｒ、Ｇ、Ｂの３つの光源のうち、いずれか１つの光源に白色光源および光学フィルターを用いる構成について説明を行った。しかし、白色光学と光学フィルターとの組み合わせによっては、光学フィルターを透過後の光の強度が低い可能性もある。そこで、本実施形態では、画像読取装置の光源として、Ｒ、Ｇ、Ｂの単色ＬＥＤに加えて、白色光源と光学フィルターとから構成される光源を用いることによって、特定光源の強度不足を抑制する。なお、本実施形態に従う画像読取装置３８Ｂの基本構成は、上述した画像読取装置３８と略同じなので相違する点についてのみ説明する。
【００９５】
図１５は、実施形態２に従う画像読取装置３８Ｂの構成例を説明する図である。図１５（ａ）および（ｂ）を参照して、画像読取装置３８Ｂは、光源として、単色のＬＥＤであるＲ光源１０１、Ｇ光源１０３、Ｂ光源１０５に加えて、白色光源であるＲ光源１０１Ｗを有する。Ｒ光源１０１およびＲ光源１０１Ｗは、互いに隣接するように設けられる。Ｒ光源１０１Ｗには光学フィルター１０２が装着されている。本構成において、画像読取装置３８Ｂは、白色光源であるＲ光源１０１Ｗとは別に、光学フィルター１０２が透過させる波長領域内に最大強度の波長を有する分光特性をもつＲ光源１０１をさらに有する。
【００９６】
Ｒ光源１０１Ｗと光学フィルター１０２とからなる光源が照射する導光体１０７の位置と、Ｒ光源１０１が照射する導光体１０７の位置とが同じになるように構成される。また、図１０に示される切替部９０は、Ｒ光源１０１Ｗを点灯させるとともに、Ｒ光源１０１を点灯させるように構成される。
【００９７】
図１６は、光学フィルター１０２を透過後の光の分光特性、Ｒ光源１０１、Ｇ光源１０３、およびＢ光源１０５からの光の分光特性を表した図である。
【００９８】
図１６を参照して、画像読取装置３８Ｂは、Ｒ光源１０１Ｗと光学フィルター１０２とから構成される光源に加えて、単色の赤色ＬＥＤであるＲ光源１０１を有する。そのため、画像読取装置３８Ｂは、Ｒ光源１０１によって単色の赤色ＬＥＤの光の強度を確保することができる。さらに、Ｒ光源１０１Ｗと光学フィルター１０２とから構成される光源は、光学フィルター１０２によって減衰はするものの、少なくとも５５０ｎｍ−７００ｎｍを含む広い波長成分を有する。
【００９９】
上記構成によれば、本実施形態に従う画像読取装置３８Ｂは、単色の赤色ＬＥＤであるＲ光源１０１をさらに有することによって、光学フィルター１０２によるＲ光源の強度不足を抑制することができる。これにより、本画像読取装置３８Ｂは、図４に示されたような、Ｒ、Ｇ、Ｂの光源としてそれぞれ単色のＬＥＤのみを用いた場合に強度が不足していた５７０ｎｍ付近においても、確実に所定値以上の十分な強度を有する。そのため、本画像読取装置３８Ｂは、高い色再現性を実現することができる。
【０１００】
また、本画像読取装置３８Ｂは、原稿Ｍに照射するＲ、Ｇ、Ｂの各光源の切り替えにあたって、駆動機構を用いておらず、単に点灯させる光源を切り替えるだけでよい。すなわち、本画像読取装置３８Ｂは、簡易な構成であるため、コストを抑えることができる。加えて、本画像読取装置３８Ｂは、駆動機構を搭載しないことにより、振動による読取対象の読取精度低下を抑制することができる。
【０１０１】
（ｄ２．変形例１−最大強度の調節）
図１６に示される、光学フィルター１０２を透過後のＲ光源１０１Ｗの光と、Ｒ光源１０１の光とを足し合わせた光の分光特性上の最大強度は、図１７に示されるように、他のＧ光源１０３、Ｂ光源１０５の光の最大強度に比して大きくなる可能性がある。
【０１０２】
たとえば、Ｒ光源１０１、Ｒ光源１０１Ｗ、Ｇ光源１０３、Ｂ光源１０５に供給する単位時間あたりの電力が同じである場合、図１７のように、Ｒ、Ｇ、Ｂの光強度のバランスが大きく崩れる。この場合、画像読取装置３８Ｂが読み取る原稿Ｍの色のバランスが崩れてしまうため、当該バランスを整える補正処理を行う必要がある。
【０１０３】
そのため、図１８に示されるように、光学フィルター１０２を透過後のＲ光源１０１Ｗの光と、Ｒ光源１０１の光とを合成した分光特性上の最大強度が、他の光源Ｇ光源１０３、Ｂ光源１０５の分光特性上の最大強度と実質的に等しくなるように構成されることが好ましい。たとえば、各光源に供給される単位時間当たりの電力を制御することによって実現してもよいし、各光源の発光効率および光学フィルターの透過率を調節することによって実現してもよい。
【０１０４】
上記によれば、Ｒ、Ｇ、Ｂの光強度のバランスを整えることによって、画像読取装置の色再現性を向上させるとともに、画像生成部２８における画像処理の負担を軽減することができる。
【０１０５】
（ｄ３．変形例２−単色のＧ光源、および白色光源＋緑を透過させる光学フィルター）
上記の例では、単色の赤色ＬＥＤであるＲ光源１０１に加えて、白色光源であるＲ光源１０１Ｗと光学フィルター１０２とから構成される光源を有する構成について説明を行った。本変形例では、単色の緑色ＬＥＤであるＧ光源１０３に加えて、白色光源と緑に対応する波長を透過させる光学フィルターとから構成される光源を用いる。なお、本実施形態に従う画像読取装置３８Ｃの基本構成は、上述した画像読取装置３８と略同じなので相違する点についてのみ説明する。
【０１０６】
図１９は、変形例２に従う画像読取装置３８Ｃの構成例を説明する図である。図１９（ａ）および（ｂ）を参照して、画像読取装置３８Ｃは、光源として、単色のＬＥＤであるＲ光源１０１、Ｇ光源１０３、Ｂ光源１０５に加えて、白色光源であるＧ光源１０３Ｗを有する。Ｇ光源１０３Ｗには光学フィルター１０４が装着されている。言い換えれば、画像読取装置３８Ｃは、白色光源であるＧ光源１０３Ｗとは別に、光学フィルター１０４が透過させる波長領域内に最大強度の波長を有する分光特性をもつ光を照射するＧ光源１０３をさらに有する。
【０１０７】
Ｇ光源１０３Ｗと光学フィルター１０４とからなる光源が照射する導光体１０７の位置と、Ｇ光源１０３が照射する導光体１０７の位置とが同じになるように構成される。また、図１０に示される切替部９０は、Ｇ光源１０３Ｗを点灯させるとともに、Ｇ光源１０３を点灯させるように構成される。
【０１０８】
図２０は、光学フィルター１０４を透過後のＧ光源１０３Ｗの光の分光特性、Ｒ光源１０１、Ｇ光源１０３、およびＢ光源１０５からの光の分光特性を表した図である。
【０１０９】
図２０を参照して、画像読取装置３８Ｃは、単色の緑色ＬＥＤであるＧ光源１０３に加えて、Ｇ光源１０３Ｗと光学フィルター１０４とから構成される光源を有する。そのため、画像読取装置３８Ｃは、Ｇ光源１０３によって単色の緑色ＬＥＤの光の強度を確保することができる。さらに、Ｇ光源１０３Ｗと光学フィルター１０４とから構成される光源は、光学フィルター１０４によって減衰はするものの、少なくとも５００ｎｍ−５８０ｎｍを含む広い波長成分を有する。
【０１１０】
上記構成によれば、本実施形態に従う画像読取装置３８Ｃは、単色の緑色ＬＥＤであるＧ光源１０３をさらに有することによって、光学フィルター１０４によるＧ光源の強度不足を抑制することができる。これにより、本画像読取装置３８Ｃは、図４に示されたような、Ｒ、Ｇ、Ｂの光源としてそれぞれ単色のＬＥＤのみを用いた場合に強度が不足していた５７０ｎｍ付近においても、確実に所定値以上の十分な強度を有する。そのため、本画像読取装置３８Ｃは、高い色再現性を実現することができる。
【０１１１】
また、本画像読取装置３８Ｃは、原稿Ｍに照射するＲ、Ｇ、Ｂの各光源の切り替えにあたって、駆動機構を用いておらず、単に点灯させる光源を切り替えるだけでよい。すなわち、本画像読取装置３８Ｃは、簡易な構成であるため、コストを抑えることができる。加えて、本画像読取装置３８Ｃは、駆動機構を搭載しないことにより、振動による読取対象の読取精度低下を抑制することができる。
【０１１２】
なお、本変形例に従う画像読取装置３８Ｃにおいても、上記変形例１（実施形態２）と同様に、光源は、Ｒ、Ｇ、Ｂの光の強度のバランスを整えるよう構成されることが好ましい。
【０１１３】
［Ｅ．実施形態３−光学フィルターの装着方法］
上記の実施形態において、図２１に示されるように、光学フィルター１０２は白色光源であるＲ光源１０１Ｗの表面に装着されるように構成される。他の局面において、図２２に示されるように、光学フィルター１０２は、白色光源であるＲ光源１０１Ｗとは別体に設けられてもよい。
【０１１４】
ただし、光学フィルター１０２は、Ｒ光源１０１Ｗと、導光体１０７との間に配置されることによって、Ｒ光源１０１Ｗから照射される光は、光学フィルター１０２を透過するように構成されることが好ましい。その理由は、Ｒ光源１０１Ｗから照射された光の一部が光学フィルター１０２を透過せずに導光体１０７に入射された場合、ラインセンサー１２０が、原稿Ｍの画像の赤の成分を正確に読み取ることができなくなるためである。
【０１１５】
したがって、Ｒ光源１０１Ｗの指向性に基づいて、Ｒ光源１０１Ｗから照射される光がすべて透過するように光学フィルター１０２の大きさ、および配置位置が設定されることが好ましい。
【０１１６】
なお、一例としてＲ光源１０１Ｗおよび光学フィルター１０２を用いて説明を行ったが、これに限定されるものではなく、他の光源（たとえば、Ｇ光源１０３Ｗ）と光学フィルターとの組み合わせに適用してもよい。
【０１１７】
［Ｆ．実施形態４−白色光源と光学フィルターとから構成される光源］
上記の実施形態では、Ｒ光源またはＧ光源として、白色光源と光学フィルターとから構成される光源を用いる例について説明した。他の局面において、Ｂ光源として、白色光源と青を透過させる光学フィルターとから構成される光源を用いてもよい。
【０１１８】
光学フィルターは、透過後の光がもつ分光特性上の最大強度についての波長の半値幅が、白色光源以外の光源からの光がもつ分光特性上の最大強度についての波長の半値幅より広くなるように構成される。これにより、Ｒ、Ｇ、Ｂのいずれの光源として、白色光源と光学フィルターとから構成される光源を用いる場合であっても、画像読取装置は、Ｒ、Ｇ、Ｂの光源としてそれぞれ単色のＬＥＤを用いた場合に比して、色再現性を向上させることができる。
【０１１９】
また、上記の実施形態では、画像読取装置は、Ｒ、Ｇ、Ｂの光源のうちいずれか１つに白色光源と光学フィルターとから構成される光源を有する構成であったが、これに限られない。画像読取装置は、Ｒ、Ｇ、Ｂの光源のうち少なくとも１つに、白色光源と光学フィルターとから構成される光源を有する構成であればよい。
【０１２０】
［Ｇ．実施形態５−イメージセンサー］
上記の実施形態において、主走査方向に沿って光電変換素子が配置されたラインセンサー（１次元センサー）を用いる構成について説明を行ったが、これに限られない。たとえば、イメージセンサーとして、光電変換素子が面上に配置されたエリアセンサー（２次元センサー）であってもよい。
【０１２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２２】
１  画像形成装置、３  自動原稿搬送部、４  画像入力装置、２７，１２０  ラインセンサー、２８  画像生成部、３７  第２搬送ローラ対、４３  回転ローラ、７０  モーター駆動部、８０  同期信号生成部、９０  切替部、１０２，１０４  光学フィルター、１０７  導光体、１１０  ＧＲＩＮレンズ、Ｍ  原稿。
【図１】
0006686564.tif 000002
【図２】
0006686564.tif 000003
【図３】
0006686564.tif 000004
【図４】
0006686564.tif 000005
【図５】
0006686564.tif 000006
【図６】
0006686564.tif 000007
【図７】
0006686564.tif 000008
【図８】
0006686564.tif 000009
【図９】
0006686564.tif 000010
【図１０】
0006686564.tif 000011
【図１１】
0006686564.tif 000012
【図１２】
0006686564.tif 000013
【図１３】
0006686564.tif 000014
【図１４】
0006686564.tif 000015
【図１５】
0006686564.tif 000016
【図１６】
0006686564.tif 000017
【図１７】
0006686564.tif 000018
【図１８】
0006686564.tif 000019
【図１９】
0006686564.tif 000020
【図２０】
0006686564.tif 000021
【図２１】
0006686564.tif 000022
【図２２】
0006686564.tif 000023